(57)【要約】【課題】ユーザ装置に対してリコンフィギュレーションを指示した基地局が当該リコンフィギュレーション指示に応答して実行されるＲＡ手順の成否を検出するための技術を提供することである。【解決手段】本発明の一態様は、マスタ基地局とセカンダリ基地局と同時通信するデュアルコネクティビティ機能を有するユーザ装置であって、前記マスタ基地局及び前記セカンダリ基地局との間で無線信号を送受信する送受信部と、ランダムアクセス（ＲＡ）手順を実行するＲＡ処理部と、前記セカンダリ基地局に対するＲＡ手順の起動をトリガするＲＡ手順起動イベントを検出すると、タイマを起動するタイマ管理部とを有し、前記ＲＡ手順起動イベントの検出に応答して実行されたＲＡ手順が前記タイマの満了前に完了しなかった場合、前記タイマ管理部は、前記ＲＡ手順が完了していないことをトリガ元の基地局に通知するユーザ装置に関する。【選択図】図４
2015216502.tif 000002
【特許請求の範囲】
【請求項１】
マスタ基地局とセカンダリ基地局と同時通信するデュアルコネクティビティ機能を有するユーザ装置であって、
前記マスタ基地局及び前記セカンダリ基地局との間で無線信号を送受信する送受信部と、
ランダムアクセス（ＲＡ）手順を実行するＲＡ処理部と、
前記セカンダリ基地局に対するＲＡ手順の起動をトリガするＲＡ手順起動イベントを検出すると、タイマを起動するタイマ管理部と、
を有し、
前記ＲＡ手順起動イベントの検出に応答して実行されたＲＡ手順が前記タイマの満了前に完了しなかった場合、前記タイマ管理部は、前記ＲＡ手順が完了していないことをトリガ元の基地局に通知するユーザ装置。
【請求項２】
前記ＲＡ手順が前記タイマの満了前に完了した場合、前記タイマ管理部は、前記タイマを停止する、請求項１記載のユーザ装置。
【請求項３】
前記ＲＡ手順起動イベントはセカンダリセルの追加設定であり、
前記ＲＡ手順が前記タイマの満了前に完了しなかった場合、前記ＲＡ処理部は、前記セカンダリセルにおける全てのアップリンク送信を停止する、請求項１又は２記載のユーザ装置。
【請求項４】
前記タイマ管理部は、前記ＲＡレスポンスの受信、Ｃｏｎｔｅｎｔｉｏｎ  ｒｅｓｏｌｕｔｉｏｎの完了又は最初のＰＤＣＣＨ（Ｐｈｙｓｉｃａｌ  Ｄｏｗｎｌｉｎｋ  Ｃｏｎｔｒｏｌ  Ｃｈａｎｎｅｌ）の受信に応答して、前記ＲＡ手順が完了したと判断する、請求項１乃至３何れか一項記載のユーザ装置。
【請求項５】
前記ＲＡ処理部は、前記タイマの起動中は、ＰＲＡＣＨ（Ｐｈｙｓｉｃａｌ  Ｒａｎｄｏｍ  Ａｃｃｅｓｓ  Ｃｈａｎｎｅｌ）の最大再送回数を超過しても前記ＰＲＡＣＨの再送を継続する、請求項１乃至４何れか一項記載のユーザ装置。
【請求項６】
前記ＲＡ手順起動イベントは複数のセルグループの同時追加処理であり、
前記タイマ管理部は、前記複数のセルグループの各々のために実行されるＲＡ手順に対して個別のタイマを設定する、請求項１乃至５何れか一項記載のユーザ装置。
【請求項７】
前記ＲＡ手順起動イベントは複数のセルグループの同時追加処理であり、
前記タイマ管理部は、前記複数のセルグループの各々のための実行されるＲＡ手順に対して共通のタイマを設定し、前記実行されたＲＡ手順の何れかが前記共通のタイマの満了前に完了しなかった場合、前記未完了のセルグループの識別子を示すと共に、前記ＲＡ手順が完了していないことを前記トリガ元の基地局に通知する、請求項１乃至５何れか一項記載のユーザ装置。
【請求項８】
前記ＲＡ手順起動イベントは、前記セカンダリ基地局へのＲＡ手順の実行が要求される処理である、請求項１乃至７何れか一項記載のユーザ装置。
【請求項９】
前記タイマ管理部は、前記トリガ元の基地局から前記タイマを設定する指示があった場合に限って、前記タイマを起動する、請求項１乃至８何れか一項記載のユーザ装置。
【請求項１０】
マスタ基地局とセカンダリ基地局と同時通信するデュアルコネクティビティ機能を有するユーザ装置におけるランダムアクセス（ＲＡ）手順を実行する方法であって、
前記セカンダリ基地局に対するＲＡ手順の起動をトリガするＲＡ手順起動イベントを検出するステップと、
前記ＲＡ手順を実行すると共に、タイマを起動するステップと、
前記実行されたＲＡ手順が前記タイマの満了前に完了しなかった場合、前記ＲＡ手順が完了していないことをトリガ元の基地局に通知するステップと、
を有する方法。
【発明の詳細な説明】
【技術分野】
【０００１】
本発明は、無線通信システムに関する。
【背景技術】
【０００２】
現在、ＬＴＥシステムの次世代の通信規格として、ＬＴＥ−Ａｄｖａｎｃｅｄの仕様策定が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。
【０００４】
プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。
【０００５】
ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【０００６】
デュアルコネクティビティでは、典型的には図２に示される処理シーケンスに従って、マスタ基地局（ＭｅＮＢ）は、セカンダリ基地局（ＳｅＮＢ）により提供されるセカンダリセル又はセカンダリセルグループをユーザ装置に追加する。図２に示されるように、マスタ基地局は、ユーザ装置から異周波測定結果を示すｍｅａｓｕｒｅｍｅｎｔ  ｒｅｐｏｒｔを受信する。マスタ基地局は、受信したｍｅａｓｕｒｅｍｅｎｔ  ｒｅｐｏｒｔに基づきユーザ装置にセカンダリセルを追加的に設定することを決定すると、セカンダリ基地局にＳＣＧ  ａｄｄｉｔｉｏｎ  ｒｅｑｕｅｓｔを送信する。ＳＣＧ  ａｄｄｉｔｉｏｎ  ｒｅｑｕｅｓｔを受信すると、セカンダリ基地局は、当該セカンダリ基地局のコンフィギュレーションを含むＳＣＧ  ａｄｄｉｔｉｏｎ  ｒｅｑｕｅｓｔ  ＡＣＫを返す。ＳＣＧ  ａｄｄｉｔｉｏｎ  ｒｅｑｕｅｓｔ  ＡＣＫを受信すると、マスタ基地局は、ユーザ装置にセカンダリセルを追加的に設定させるため、ＲＲＣ  ｃｏｎｎｅｃｔｉｏｎ  ｒｅｃｏｎｆｉｇｕｒａｔｉｏｎをユーザ装置に送信する。当該ＲＲＣ  ｃｏｎｎｅｃｔｉｏｎ  ｒｅｃｏｎｆｉｇｕｒａｔｉｏｎを受信すると、ユーザ装置は、受信したＲＲＣ  ｃｏｎｎｅｃｔｉｏｎ  ｒｅｃｏｎｆｉｇｕｒａｔｉｏｎに従ってコンフィギュレーションを再設定し、再設定の完了を示すＲＲＣ  ｃｏｎｎｅｃｔｉｏｎ  ｒｅｃｏｎｆｉｇｕｒａｔｉｏｎ  ｃｏｍｐｌｅｔｅをマスタ基地局に返す。当該ＲＲＣ  ｃｏｎｎｅｃｔｉｏｎ  ｒｅｃｏｎｆｉｇｕｒａｔｉｏｎ  ｃｏｍｐｌｅｔｅを受信すると、マスタ基地局は、ユーザ装置においてコンフィギュレーションが再設定されたことを示すＣｏｎｆｉｒｍａｔｉｏｎをセカンダリ基地局に送信する。一方、セカンダリセルの追加設定を指示するＲＲＣ  ｃｏｎｎｅｃｔｉｏｎ  ｒｅｃｏｎｆｉｇｕｒａｔｉｏｎを受信したとき、ユーザ装置は、セカンダリ基地局とのアップリンクのタイミングを確立するため、セカンダリ基地局に対してランダムアクセス（ＲＡ）手順を実行する。
【先行技術文献】
【非特許文献】
【０００７】
【非特許文献１】Ｒ２−１４１８６０
【発明の概要】
【発明が解決しようとする課題】
【０００８】
上述したように、セカンダリセルの追加設定では、ユーザ装置は、セカンダリ基地局に対するＲＡ手順を完了する前に、マスタ基地局にＲＲＣ  ｃｏｎｎｅｃｔｉｏｎ  ｒｅｃｏｎｆｉｇｕｒａｔｉｏｎ  ｃｏｍｐｌｅｔｅを返送する。このため、マスタ基地局は、ユーザ装置が実際にセカンダリ基地局との間で接続を確立したか確認することができない。すなわち、マスタ基地局は、当該ＲＡ手順が成功したか又は失敗したか検出することができない。このように、ＲＡ手順の成否を検出できない場合、ユーザ装置は、セカンダリセルに設定されたベアラについてアップリンクデータを送信することができず、スループットの向上を図ることができない。また、ネットワークの観点からも、不要なコンフィギュレーションが実行されたままとなり、ネットワークリソースの効率的な利用が図れなくなる。
【０００９】
上述した問題点を鑑み、本発明の課題は、ユーザ装置に対してリコンフィギュレーションを指示した基地局が当該リコンフィギュレーション指示に応答して実行されるＲＡ手順の成否を検出するための技術を提供することである。
【課題を解決するための手段】
【００１０】
上記課題を解決するため、本発明の一態様は、マスタ基地局とセカンダリ基地局と同時通信するデュアルコネクティビティ機能を有するユーザ装置であって、前記マスタ基地局及び前記セカンダリ基地局との間で無線信号を送受信する送受信部と、ランダムアクセス（ＲＡ）手順を実行するＲＡ処理部と、前記セカンダリ基地局に対するＲＡ手順の起動をトリガするＲＡ手順起動イベントを検出すると、タイマを起動するタイマ管理部とを有し、前記ＲＡ手順起動イベントの検出に応答して実行されたＲＡ手順が前記タイマの満了前に完了しなかった場合、前記タイマ管理部は、前記ＲＡ手順が完了していないことをトリガ元の基地局に通知するユーザ装置に関する。
【００１１】
本発明の他の態様は、マスタ基地局とセカンダリ基地局と同時通信するデュアルコネクティビティ機能を有するユーザ装置におけるランダムアクセス（ＲＡ）手順を実行する方法であって、前記セカンダリ基地局に対するＲＡ手順の起動をトリガするＲＡ手順起動イベントを検出するステップと、前記ＲＡ手順を実行すると共に、タイマを起動するステップと、前記実行されたＲＡ手順が前記タイマの満了前に完了しなかった場合、前記ＲＡ手順が完了していないことをトリガ元の基地局に通知するステップとを有する方法に関する。
【発明の効果】
【００１２】
本発明によると、ユーザ装置に対してリコンフィギュレーションを指示した基地局が、当該リコンフィギュレーション指示に応答して実行されるＲＡ手順の成否を検出することが可能になる。
【図面の簡単な説明】
【００１３】
【図１】図１は、キャリアアグリゲーションを示す概念図である。
【図２】図２は、デュアルコネクティビティにおけるセカンダリセルを設定するための従来の処理を示すシーケンス図である。
【図３】図３は、本発明の一実施例によるデュアルコネクティビティにおけるセカンダリセルを設定するための処理を示すシーケンス図である。
【図４】図４は、本発明の一実施例による無線通信システムを示す概略図である。
【図５】図５は、本発明の一実施例によるユーザ装置の構成を示すブロック図である。
【図６】図６は、本発明の一実施例によるユーザ装置におけるランダムアクセス処理を示すフロー図である。
【発明を実施するための形態】
【００１４】
以下、図面に基づいて本発明の実施の形態を説明する。
【００１５】
後述される実施例では、マスタ基地局とセカンダリ基地局と同時通信するデュアルコネクティビティ機能を有するユーザ装置が開示される。以下の実施例を概略すると、ユーザ装置は、セカンダリセルの追加設定などのセカンダリ基地局に対するランダムアクセス（ＲＡ）手順の実行が要求される処理を指示されると、ＲＡ手順を実行すると共にタイマを起動する。当該ＲＡ手順がタイマの満了前に完了しなかった場合、ユーザ装置は、ＲＡ手順が完了していないことをマスタ基地局に通知する。
【００１６】
例えば、図３に示されるように、ユーザ装置に対するセカンダリセルの追加設定を指示したＲＲＣ  ｃｏｎｎｅｃｔｉｏｎ  ｒｅｃｏｎｆｉｇｕｒａｔｉｏｎをマスタ基地局から受信すると、ユーザ装置は、セカンダリ基地局に対してＲＡ手順を実行すると共に、タイマを起動する。タイマが満了するまでに当該ＲＡ手順が成功しなかった場合、ユーザ装置は、タイマ満了通知をマスタ基地局に通知する。当該タイマ満了通知を受信すると、マスタ基地局は、ユーザ装置とセカンダリ基地局との接続が未確立であることを検出し、当該セカンダリ基地局を用いたデュアルコネクティビティ通信が利用できないと判断できる。
【００１７】
図４を参照して、本発明の一実施例による無線通信システムを説明する。図４は、本発明の一実施例による無線通信システムを示す概略図である。
【００１８】
図４に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するデュアルコネクティビティをサポートし、図示されるように、ユーザ装置１００は、デュアルコネクティビティ機能を利用して、マスタ基地局（ＭｅＮＢ）２００Ａとセカンダリ基地局（ＳｅＮＢ）２００Ｂとの間で通信する。図示された実施例では、２つの基地局２００Ａ，２００Ｂしか示されていないが、一般には、無線通信システム１０のサービスエリアをカバーするよう多数の基地局２００が配置される。
【００１９】
ユーザ装置１００は、複数の基地局２００Ａ，２００Ｂと同時通信するデュアルコネクティビティ機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２０】
基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。デュアルコネクティビティでは、マスタ基地局２００Ａが、ユーザ装置１００と基地局２００Ａ，２００Ｂとの間のデュアルコネクティビティによる同時通信を制御すると共に、上位のコアネットワーク（図示せず）との間の通信を制御する。
【００２１】
次に、図５を参照して、本発明の一実施例によるユーザ装置の構成を説明する。本実施例によるユーザ装置１００は、マスタ基地局２００Ａとセカンダリ基地局２００Ｂと同時通信するデュアルコネクティビティ機能を有する。図５は、本発明の一実施例によるユーザ装置の構成を示すブロック図である。
【００２２】
図５に示されるように、ユーザ装置１００は、送受信部１１０、ランダムアクセス（ＲＡ）処理部１２０及びタイマ管理部１３０を有する。
【００２３】
送受信部１１０は、マスタ基地局２００Ａ及びセカンダリ基地局２００Ｂとの間で無線信号を送受信する。具体的には、送受信部１１０は、マスタ基地局２００Ａ及びセカンダリ基地局２００Ｂとの間でアップリンク／ダウンリンク制御チャネルやアップリンク／ダウンリンクデータチャネルなどの各種無線チャネルを送受信する。また、デュアルコネクティビティが設定されている場合、送受信部１１０は、マスタ基地局２００Ａとセカンダリ基地局２００Ｂと同時通信することが可能である。
【００２４】
ＲＡ処理部１２０は、ランダムアクセス（ＲＡ）手順を実行する。一実施例では、ＲＡ処理部１２０は、セカンダリ基地局２００Ｂに対するＲＡ手順の起動をトリガするＲＡ手順起動イベントの検出に応答して、セカンダリ基地局２００Ｂに対するＲＡ手順を開始する。当該ＲＡ手順起動イベントは、例えば、セカンダリセルの追加設定、ＰＵＣＣＨ（Ｐｈｙｓｉｃａｌ  Ｕｐｌｉｎｋ  Ｃｏｎｔｒｏｌ  Ｃｈａｎｎｅｌ）が設定されている特別なセカンダリセル（プライマリセカンダリセル）の変更、セカンダリセルのセキュリティの変更、（サポートされる場合には）セカンダリセルにおけるＴＴＩ（Ｔｒａｎｓｍｉｓｓｉｏｎ  Ｔｉｍｅ  Ｉｎｔｅｒｖａｌ）バンドリングのスイッチオン・オフなどの各種指示であってもよい。また、ＲＡ処理部１２０は、衝突型ＲＡ手順と非衝突型ＲＡ手順との何れかに従ってＲＡ手順を実行することができる。典型的には、衝突型ＲＡ手順はユーザ装置１００によって自律的に起動されるＲＡ手順であり、非衝突型ＲＡ手順は基地局２００の指示により起動されるＲＡ手順である。
【００２５】
例えば、セカンダリセルの追加設定を指示するＲＲＣ  ｃｏｎｎｅｃｔｉｏｎ  ｒｅｃｏｎｆｉｇｕｒａｔｉｏｎをマスタ基地局２００Ａから受信すると、ＲＡ処理部１２０は、セカンダリ基地局２００Ｂに対してＲＡ手順を実行すると共に、ＲＲＣ  ｃｏｎｎｅｃｔｉｏｎ  ｒｅｃｏｎｆｉｇｕｒａｔｉｏｎに従ってコンフィギュレーションを再設定し、その後にＲＲＣ  ｃｏｎｎｅｃｔｉｏｎ  ｒｅｃｏｎｆｉｇｕｒａｔｉｏｎ  ｃｏｍｐｌｅｔｅをマスタ基地局２００Ａに返す。図３に関連して上述したように、ＲＡ処理部１２０は、当該ＲＡ手順の完了を待つことなく、ＲＲＣ  ｃｏｎｎｅｃｔｉｏｎ  ｒｅｃｏｎｆｉｇｕｒａｔｉｏｎ  ｃｏｍｐｌｅｔｅをマスタ基地局２００Ａに送信する。
【００２６】
タイマ管理部１３０は、セカンダリ基地局２００Ｂに対するＲＡ手順の起動をトリガするＲＡ手順起動イベントを検出すると、タイマを起動する。その後、ＲＡ手順起動イベントの検出に応答して実行されたＲＡ手順が当該タイマの満了前に完了しなかった場合、タイマ管理部１３０は、当該ＲＡ手順が完了していないことをトリガ元の基地局２００に通知する。当該トリガ元の基地局２００は、典型的には、マスタ基地局２００Ａであるが、これに限定されることなく、例えば、ＰＵＣＣＨが設定されるプライマリセカンダリセルを提供するプライマリセカンダリ基地局２００Ｂであってもよい。
【００２７】
他方、ＲＡ手順がタイマの満了前に完了した場合、タイマ管理部１３０は、タイマを停止してリセットする。一実施例では、タイマ管理部１３０は、ＲＡレスポンスの受信、Ｃｏｎｔｅｎｔｉｏｎ  ｒｅｓｏｌｕｔｉｏｎの完了又は最初のＰＤＣＣＨ（Ｐｈｙｓｉｃａｌ  Ｄｏｗｎｌｉｎｋ  Ｃｏｎｔｒｏｌ  Ｃｈａｎｎｅｌ）の受信に応答して、ＲＡ手順が完了したと判断してもよい。例えば、ＲＡ手順が非衝突型ＲＡ手順である場合、タイマ管理部１３０は、メッセージ２としてＲＡレスポンスを受信したことに応答して、当該ＲＡ手順が完了したと判断してもよい。また、ＲＡ手順が衝突型ＲＡ手順である場合、タイマ管理部１３０は、メッセージ４としてＣｏｎｔｅｎｔｉｏｎ  ｒｅｓｏｌｕｔｉｏｎを受信したことに応答して、当該ＲＡ手順が完了したと判断してもよい。更に、タイマ管理部１３０は、セカンダリ基地局２００Ｂとの接続の確立後に最初のＰＤＣＣＨを受信したことに応答して、当該ＲＡ手順が完了したと判断してもよい。当該ＰＤＣＣＨは、ＤＬ  ａｓｓｉｇｎｍｅｎｔ（新規送信及び再送を含む）、ＵＬ  ｇｒａｎｔ（新規送信及び再送を含む）、ＤＬ  ａｓｓｉｇｎｍｅｎｔ（新規送信のみ対象）、ＵＬ  ｇｒａｎｔ（新規送信のみ対象）及びＡｐｅｒｉｏｄｉｃ  ＣＱＩ／ＳＲＳ要求のためのＰＤＣＣＨの何れであってもよい。
【００２８】
当該タイマは、ＲＡ手順の成否が判定可能な何れか適切な期間に設定されてもよい。例えば、ＲＡ手順の成否が判定可能な期間と比較して、タイマが短すぎる期間に設定された場合、ＲＡ手順が実行中であるにもかかわらずタイマが満了してしまい、ＲＡ手順の成否の判定前にトリガ元の基地局２００にＲＡ手順の未完了通知が送信されることになる。一方、ＲＡ手順の成否が判定可能な期間と比較して、タイマが長すぎる期間に設定された場合、ＲＡ手順が既に失敗しているにもかかわらず、トリガ元の基地局２００にＲＡ手順の完了通知が送信されず、ネットワークリソースの効率的な利用が妨げられることになる。タイマに設定される期間は、所定の期間であってもよいし、例えば、マスタ基地局２００Ａなどのトリガ元の基地局２００により通知されてもよい。
【００２９】
一実施例では、ＲＡ手順起動イベントがセカンダリセルの追加設定であるとき、ＲＡ手順がタイマの満了前に完了しなかった場合、ＲＡ処理部１２０は、セカンダリセルにおける全てのアップリンク送信を停止してもよい。具体的には、ＲＡ処理部１２０がＭＡＣ（Ｍｅｄｉｕｍ  Ａｃｃｅｓｓ  Ｃｏｎｔｒｏｌ）リセットを送受信部１１０に通知することによって、アップリンク送信を停止してもよい。
【００３０】
一実施例では、ＲＡ処理部１２０は、タイマの起動中は、ＰＲＡＣＨ（Ｐｈｙｓｉｃａｌ  Ｒａｎｄｏｍ  Ａｃｃｅｓｓ  Ｃｈａｎｎｅｌ）の最大再送回数を超過しても当該ＰＲＡＣＨの再送を継続してもよい。ＰＲＡＣＨの最大再送回数は予め規定されているが、タイマ起動中はＰＲＡＣＨの再送回数が当該最大再送回数を超過しても、ＲＡ処理部１２０は、ＰＲＡＣＨを送信し続けてもよい。例えば、ＲＡ処理部１２０は、ＲＡプリアンブルをセカンダリ基地局２００Ｂに送信し続けたが、これに対するＲＡレスポンスを受信できなかった場合、最大再送回数を超過してもタイマ起動中はＲＡプリアンブルの再送を継続してもよい。
【００３１】
一実施例では、タイマ管理部１３０は、ＭＡＣ信号又はＲＲＣ信号によりＲＡ手順が完了していないことをトリガ元の基地局２００に通知してもよい。例えば、ＲＲＣ信号を利用する場合、タイマ管理部１３０は、タイマ満了を原因とする無線リンク障害（Ｒａｄｉｏ  Ｌｉｎｋ  Ｆａｉｌｕｒｅ：ＲＬＦ）をトリガ元の基地局２００に通知してもよい。
【００３２】
一実施例では、ＲＡ手順起動イベントが複数のセルグループの同時追加処理である場合、タイマ管理部１３０は、複数のセルグループの各々のために実行されるＲＡ手順に対して個別のタイマを設定してもよい。例えば、セルグループＸ，Ｙを同時に追加設定する指示を受信すると、ＲＡ処理部１２０は、セルグループＸ，Ｙを提供するセカンダリ基地局２００Ｘ，２００Ｙのそれぞれに対してＲＡ手順Ｘ，Ｙを実行すると共に、タイマ管理部１３０は、セルグループＸに対するタイマＸと、セルグループＹに対するタイマＹとを起動するようにしてもよい。この場合、セカンダリ基地局２００Ｘ，２００Ｙに対するＲＡ手順Ｘ，Ｙの実行状況に応じて、タイマ管理部１３０は、タイマＸ，Ｙを独立に管理する。例えば、セカンダリ基地局２００Ｘに対するＲＡ手順Ｘが完了したが、セカンダリ基地局２００Ｙに対するＲＡ手順Ｙは完了していない場合、タイマ管理部１３０は、タイマＸを停止してリセットする一方、タイマＹの計時を継続する。タイマＹの満了前にＲＡ手順Ｙが完了しなかった場合、タイマ管理部１３０は、ＲＡ手順Ｙが完了していないことをマスタ基地局２００Ａに通知する。
【００３３】
他の実施例では、ＲＡ手順起動イベントが複数のセルグループの同時追加処理である場合、タイマ管理部１３０は、複数のセルグループの各々のための実行されるＲＡ手順に対して共通のタイマを設定し、実行されたＲＡ手順の何れかが当該共通のタイマの満了前に完了しなかった場合、未完了のセルグループの識別子を示すと共に、ＲＡ手順が完了していないことをトリガ元の基地局２００に通知してもよい。
【００３４】
一実施例では、タイマ管理部１３０は、トリガ元の基地局２００からタイマを設定する指示があった場合に限って、タイマを起動してもよい。すなわち、セカンダリ基地局２００Ｂに対するＲＡ手順起動イベントと共にタイマ設定指示を検出した場合にのみ、タイマ管理部１３０は、タイマを起動するようにしてもよい。換言すると、ＲＡ手順起動イベントを検出したとしても、タイマ管理部１３０は常にタイマを起動する必要はなく、トリガ元の基地局２００からのタイマ設定指示があった場合に限って、タイマを起動するようにしてもよい。例えば、当該タイマ設定指示は、ＲＲＣ内の特定の情報要素（ＩＥ）により指示されてもよい。
【００３５】
次に、図６を参照して、本発明の一実施例によるユーザ装置におけるランダムアクセス処理を説明する。図６は、本発明の一実施例によるランダムアクセス処理を示すフロー図である。
【００３６】
図６に示されるように、ステップＳ１０１において、ユーザ装置１００は、セカンダリ基地局２００Ｂに対するＲＡ手順の起動をトリガするＲＡ手順起動イベントを検出する。当該ＲＡ手順起動イベントは、例えば、セカンダリセルの追加設定、ＰＵＣＣＨが設定されている特別なセカンダリセル（プライマリセカンダリセル）の変更、セカンダリセルのセキュリティの変更、セカンダリセルにおけるＴＴＩバンドリングのスイッチオン・オフなどの各種指示であってもよい。セカンダリセルの追加設定は、例えば、ＲＲＣ  ｃｏｎｎｅｃｔｉｏｎ  ｒｅｃｏｎｆｉｇｕｒａｔｉｏｎにより通知される。
【００３７】
ステップＳ１０２において、ユーザ装置１００は、当該ＲＡ手順を実行すると共に、タイマを起動する。例えば、セカンダリセルの追加設定を指示するＲＲＣ  ｃｏｎｎｅｃｔｉｏｎ  ｒｅｃｏｎｆｉｇｕｒａｔｉｏｎをマスタ基地局２００Ａから受信した場合、ユーザ装置１００は、セカンダリ基地局２００Ｂに対してＲＡ手順を実行すると共に、ＲＲＣ  ｃｏｎｎｅｃｔｉｏｎ  ｒｅｃｏｎｆｉｇｕｒａｔｉｏｎに従ってコンフィギュレーションを再設定した後、当該ＲＡ手順の完了を待つことなく、ＲＲＣ  ｃｏｎｎｅｃｔｉｏｎ  ｒｅｃｏｎｆｉｇｕｒａｔｉｏｎ  ｃｏｍｐｌｅｔｅをマスタ基地局２００Ａに返す。
【００３８】
ステップＳ１０３において、ユーザ装置１００は、実行されたＲＡ手順がタイマの満了前に完了したか判断する。例えば、ＲＡレスポンスの受信、Ｃｏｎｔｅｎｔｉｏｎ  ｒｅｓｏｌｕｔｉｏｎの完了又は最初のＰＤＣＣＨの受信に応答して、ユーザ装置１００は、ＲＡ手順が完了したと判断してもよい。
【００３９】
実行されたＲＡ手順がタイマ満了前に完了した場合（Ｓ１０３：ＹＥＳ）、ユーザ装置１００は、ステップＳ１０４においてタイマを停止してリセットする。以降、ユーザ装置１００は、接続が確立されたセカンダリ基地局２００Ｂとデュアルコネクティビティにより通信する。
【００４０】
他方、実行されたＲＡ手順がタイマ満了前に完了しなかった場合（Ｓ１０４：ＮＯ）、ユーザ装置１００は、ステップＳ１０５において当該ＲＡ手順が完了していないことをマスタ基地局２００Ａに通知する。当該通知は、例えば、ＭＡＣ信号又はＲＲＣ信号により行われてもよい。例えば、ＲＲＣ信号を利用する場合、当該通知は、タイマ満了を原因とする無線リンク障害として通知されてもよい。
【００４１】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４２】
１０  無線通信システム
１００  ユーザ装置
１１０  送受信部
１２０  ランダムアクセス（ＲＡ）処理部
１３０  タイマ管理部
【図１】
2015216502.tif 000003
【図２】
2015216502.tif 000004
【図３】
2015216502.tif 000005
【図４】
2015216502.tif 000006
【図５】
2015216502.tif 000007
【図６】
2015216502.tif 000008
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
マスタ基地局とセカンダリ基地局と同時通信するデュアルコネクティビティ機能を有するユーザ装置であって、
前記マスタ基地局及び前記セカンダリ基地局との間で無線信号を送受信する送受信部と、
ランダムアクセス（ＲＡ）手順を実行するＲＡ処理部と、
前記セカンダリ基地局に対するＲＡ手順の起動をトリガするＲＡ手順起動イベントを検出すると、タイマを起動するタイマ管理部と、
を有し、
前記ＲＡ手順起動イベントの検出に応答して、前記ＲＡ処理部は、前記セカンダリ基地局に対するＲＡ手順を起動すると共に、トリガ元の基地局にコンフィギュレーション再設定完了通知を送信し、前記コンフィギュレーション再設定完了通知を送信した後、前記ＲＡ手順が前記タイマの満了前に完了しなかった場合、前記タイマ管理部は、前記ＲＡ手順が完了していないことを前記トリガ元の基地局に通知するユーザ装置。
【請求項２】
前記ＲＡ手順が前記タイマの満了前に完了した場合、前記タイマ管理部は、前記タイマを停止する、請求項１記載のユーザ装置。
【請求項３】
前記ＲＡ手順起動イベントはセカンダリセルの追加設定であり、
前記ＲＡ手順が前記タイマの満了前に完了しなかった場合、前記ＲＡ処理部は、前記セカンダリセルにおける全てのアップリンク送信を停止する、請求項１又は２記載のユーザ装置。
【請求項４】
前記タイマ管理部は、ＲＡレスポンスの受信、Ｃｏｎｔｅｎｔｉｏｎ  ｒｅｓｏｌｕｔｉｏｎの完了又は最初のＰＤＣＣＨ（Ｐｈｙｓｉｃａｌ  Ｄｏｗｎｌｉｎｋ  Ｃｏｎｔｒｏｌ  Ｃｈａｎｎｅｌ）の受信に応答して、前記ＲＡ手順が完了したと判断する、請求項１乃至３何れか一項記載のユーザ装置。
【請求項５】
前記ＲＡ処理部は、前記タイマの起動中は、ＰＲＡＣＨ（Ｐｈｙｓｉｃａｌ  Ｒａｎｄｏｍ  Ａｃｃｅｓｓ  Ｃｈａｎｎｅｌ）の最大再送回数を超過しても前記ＰＲＡＣＨの再送を継続する、請求項１乃至４何れか一項記載のユーザ装置。
【請求項６】
前記ＲＡ手順起動イベントは複数のセルグループの同時追加処理であり、
前記タイマ管理部は、前記複数のセルグループの各々のために実行されるＲＡ手順に対して個別のタイマを設定する、請求項１乃至５何れか一項記載のユーザ装置。
【請求項７】
前記ＲＡ手順起動イベントは複数のセルグループの同時追加処理であり、
前記タイマ管理部は、前記複数のセルグループの各々のための実行されるＲＡ手順に対して共通のタイマを設定し、前記実行されたＲＡ手順の何れかが前記共通のタイマの満了前に完了しなかった場合、前記未完了のセルグループの識別子を示すと共に、前記ＲＡ手順が完了していないことを前記トリガ元の基地局に通知する、請求項１乃至５何れか一項記載のユーザ装置。
【請求項８】
前記ＲＡ手順起動イベントは、前記セカンダリ基地局へのＲＡ手順の実行が要求される処理である、請求項１乃至７何れか一項記載のユーザ装置。
【請求項９】
前記タイマ管理部は、前記トリガ元の基地局から前記タイマを設定する指示があった場合に限って、前記タイマを起動する、請求項１乃至８何れか一項記載のユーザ装置。
【請求項１０】
マスタ基地局とセカンダリ基地局と同時通信するデュアルコネクティビティ機能を有するユーザ装置におけるランダムアクセス（ＲＡ）手順を実行する方法であって、
前記セカンダリ基地局に対するＲＡ手順の起動をトリガするＲＡ手順起動イベントを検出するステップと、
前記ＲＡ手順を実行すると共に、タイマを起動するステップと、
トリガ元の基地局にコンフィギュレーション再設定完了通知を送信するステップと、
前記コンフィギュレーション再設定完了通知を送信した後、前記ＲＡ手順が前記タイマの満了前に完了しなかった場合、前記ＲＡ手順が完了していないことを前記トリガ元の基地局に通知するステップと、
を有する方法。